(57)【特許請求の範囲】
【請求項１】
装置本体を構成する第１筐体及び第２筐体と、この第１筐体に対して第２筐体を折り畳み開閉自在に連結するヒンジ部とを備えた携帯端末装置であって、
前記第１筐体に設けられた表示部と、
前記ヒンジ部を介して第１筐体と第２筐体とが折り畳まれて閉じられた形態にあるか否かを検出する閉状態検出手段と、
前記ヒンジ部を介して第１筐体と第２筐体とが開かれたオープン形態にあるか否かを検出する開状態検出手段と、
装置本体を置くために前記第１筐体と第２筐体のうち、少なくとも一方の筐体の所定部分が外部に接触したか否かを検出する接触検出手段と、
前記開状態検出手段、前記閉状態検出手段、前記接触検出手段の各検出結果に基づいて当該装置本体がスタンド形態にあるか否かを判別する判別手段と、
この判別手段によってスタンド形態にあることが判別された場合に、所定処理を実行する処理制御手段と、
を具備したことを特徴とする携帯端末装置。
【請求項２】
前記判別手段は、前記閉状態検出手段によって閉じられた形態ではないことが検出されると共に、前記開状態検出手段によって開かれたオープン形態ではないことが検出され、かつ、前記接触検出手段によって筐体の所定部分が外部に接触されていることが検出された場合にスタンド形態にあると判別する、
ようにしたことを特徴とする請求項１記載の携帯端末装置。
【請求項３】
前記接触検出手段は、前記第１筐体及び第２筐体において前記ヒンジ部の反対側に位置する側面部にそれぞれ設けられ、
前記判別手段は、前記閉状態検出手段によって第１筐体と第２筐体とが閉じられた形態ではないことが検出されると共に、前記開状態検出手段によって第１筐体と第２筐体とが開かれたオープン形態ではないことが検出され、かつ、前記第１筐体及び第２筐体の側面部に設けられた各接触検出手段によって外部に接触されたことが検出された場合にスタンド形態にあると判別し、
前記処理制御手段は、前記所定処理を実行時に、前記外部に接触している側面部のほうが下となるように前記表示部の表示方向を変更する、
ようにしたことを特徴とする請求項１記載の携帯端末装置。
【請求項４】
前記接触検出手段は、前記第１筐体あるいは第２筐体において前記ヒンジ部と直交する側に位置する一側面部に設けられ、
前記判別手段は、前記閉状態検出手段によって第１筐体と第２筐体とが閉じられた形態ではないことが検出されると共に、前記開状態検出手段によって第１筐体と第２筐体とが開かれたオープン形態ではないことが検出され、かつ、前記第１筐体あるいは第２筐体の側面部に設けられた接触検出手段によって外部に接触されたことが検出された場合にスタンド形態にあると判別し、
前記処理制御手段は、前記所定処理を実行時に、前記外部に接触している側面部のほうが下となるように前記表示部の表示方向を変更する、
ようにしたことを特徴とする請求項１記載の携帯端末装置。
【請求項５】
前記接触検出手段は、前記第２筐体の外側面に設けられ、
前記判別手段は、前記閉状態検出手段によって第１筐体と第２筐体とが閉じられた形態ではないことが検出されると共に、前記開状態検出手段によって第１筐体と第２筐体とが開かれたオープン形態ではないことが検出され、かつ、前記第２筐体の外側面に設けられた接触検出手段によって外部に接触されたことが検出された場合にスタンド形態にあると判別し、
前記処理制御手段は、前記所定処理を実行時に、前記外部に接触している外側面のほうが下となるように前記表示部の表示方向を変更する、
ようにしたことを特徴とする請求項１記載の携帯端末装置。
【請求項６】
装置本体を構成する第１筐体及び第２筐体と、この第１筐体に対して第２筐体を折り畳み開閉自在に連結すると共に回動自在に連結するヒンジ部とを備えた携帯端末装置であって、
前記ヒンジ部を介して第１筐体と第２筐体とが折り畳まれて閉じられた形態にあるか否かを検出する閉状態検出手段と、
前記ヒンジ部を介して第１筐体と第２筐体とが開かれたオープン形態にあるか否かを検出する開状態検出手段と、
前記第１筐体に対する第２筐体の回動を検出する回動検出手段と、
前記閉状態検出手段、前記開状態検出手段、前記回動検出手段の各検出結果に基づいて当該装置本体がスタンド形態にあるか否かを判別する判別手段と、
この判別手段によってスタンド形態にあることが判別された場合に、所定処理を実行する処理制御手段と、
を具備したことを特徴とする携帯端末装置。
【請求項７】
前記判別手段は、前記閉状態検出手段によって閉じられた形態ではないことが検出されると共に、前記開状態検出手段によって開かれたオープン形態ではないことが検出され、かつ、前記回動検出手段によって第２筐体の表示部が外側に向く状態に回動されたことが検出された場合にスタンド形態にあると判別する、
ようにしたことを特徴とする請求項６記載の携帯端末装置。
【請求項８】
前記所定処理は、特定アプリケーションを起動する処理である、
ことを特徴とする請求項１乃至７の何れか１項に記載の携帯端末装置。
【請求項９】
前記所定処理は、前記第１筐体に設けられた表示部の表示内容を変更する表示変更処理である、
ことを特徴とする請求項１乃至７の何れか１項に記載の携帯端末装置。
【請求項１０】
前記処理制御手段は、スタンド形態でなくなったことが判別された際に、元の状態に復帰する処理を実行する、
ようにしたことを特徴とする請求項１乃至９の何れか１項に記載の携帯端末装置。
【請求項１１】
コンピュータに対して、
装置本体を構成する第１筐体に対して第２筐体を折り畳み開閉自在に連結するヒンジ部を介して第１筐体と第２筐体とが折り畳まれて閉じられた形態にあるか否かを検出する機能と、
前記ヒンジ部を介して第１筐体と第２筐体とが開かれたオープン形態にあるか否かを検出する機能と、
装置本体を置くために前記第１筐体と第２筐体のうち、少なくとも一方の筐体の所定部分が外部に接触したか否かを検出する機能と、
前記閉じられた形態にあるか否かの検出結果、前記開かれたオープン形態にあるか否かの検出結果、前記筐体の所定部分が外部に接触されているか否かの検出結果に基づいて当該装置本体がスタンド形態にあるか否かを判別する機能と、
前記スタンド形態にあることが判別された場合に、所定処理を実行する機能と、
を実現させるためのプログラム。
【請求項１２】
コンピュータに対して、
装置本体を構成する第１筐体に対して第２筐体を折り畳み開閉自在に連結するヒンジ部を介して第１筐体と第２筐体とが折り畳まれて閉じられた形態にあるか否かを検出する機能と、
前記ヒンジ部を介して第１筐体と第２筐体とが開かれたオープン形態にあるか否かを検出する機能と、
前記第１筐体に対する第２筐体の回動を検出する機能と、
前記閉じられた形態にあるか否かの検出結果、前記開かれたオープン形態にあるか否かの検出結果、前記第２筐体の回動の検出結果に基づいて当該装置本体がスタンド形態にあるか否かを判別する機能と、
前記スタンド形態にあることが判別された場合に、所定処理を実行する機能と、
を実現させるためのプログラム。
【発明の詳細な説明】
【技術分野】
【０００１】
この発明は、折り畳み開閉自在な携帯端末装置及びプログラムに関する。
【背景技術】
【０００２】
従来、携帯電話などの携帯端末装置には、操作部筐体と表示部筐体とを折り畳み開閉自在にヒンジ部で連結した折り畳み型の携帯端末装置のほか、操作部筐体と表示部筐体とを折り畳み開閉自在及び回動自在にヒンジ部で連結した２軸ヒンジ型の携帯端末装置などがある（特許文献１参照）。このような２軸ヒンジ型の携帯端末装置にあっては、主操作部を有する操作部筐体と主表示部を有する表示部筐体との連結状態に応じて装置本体の形態を複数のスタイルに変更可能となっている。すなわち、主操作部と主表示部とが対面するように操作部筐体と表示部筐体とを内側に折り畳んで閉じた状態（以下、クローズスタイルと称する）と、このクローズスタイルから折り畳みを開いた状態（以下、オープンスタイルと称する）のほか、このオープンスタイルから何れか一方の筐体を開閉軸とほぼ直交する軸で１８０度回動させた状態（以下、反オープンスタイルと称する）と、この反オープンスタイルから折り畳んで閉じて表示部筐体に設けられている主表示部を外側に向けた状態（以下、ビュースタイルと称する）とを有している。
【先行技術文献】
【特許文献】
【０００３】
【特許文献１】特開２００５−２７７４５２号公報
【発明の概要】
【発明が解決しようとする課題】
【０００４】
しかしながら、上述した折り畳み型あるいは２軸ヒンジ型の携帯端末装置にあっては、両筐体が完全にオープンされた状態（オープンスタイルあるいは反オープンスタイル）あるいは閉じられた状態（クローズスタイルあるいはビュースタイル）で使用することのみを想定しており、その途中の状態、すなわち、２つの筐体が半開き状態で使用されることまでも想定されていなかった。従って、両筺体を途中まで開いた状態を保持し、そのまま表示面が見える形態にして机の上に置いたような場合、例えば、途中まで開いた状態で両筐体の端部を下にして立てた場合に、その立てた状態では適切な表示内容となっていない可能性がある。すなわち、この携帯端末を机面上に立てたスタンド形態では、その机面を下にして表示画面の表示内容が上下逆になっていたり、９０度回転した表示内容になっていたりする可能性がある。
【０００５】
この発明の課題は、第１筐体と第２筐体とを途中まで開いた状態で使用する場合に、その状態で適切に使用できるようにすることである。
【課題を解決するための手段】
【０００６】
請求項１記載の発明（第１の発明）は、装置本体を構成する第１筐体及び第２筐体と、この第１筐体に対して第２筐体を折り畳み開閉自在に連結するヒンジ部とを備えた携帯端末装置であって、前記第１筐体に設けられた表示部と、前記ヒンジ部を介して第１筐体と第２筐体とが折り畳まれて閉じられた形態にあるか否かを検出する閉状態検出手段と、前記ヒンジ部を介して第１筐体と第２筐体とが開かれたオープン形態にあるか否かを検出する開状態検出手段と、装置本体を置くために前記第１筐体と第２筐体のうち、少なくとも一方の筐体の所定部分が外部に接触したか否かを検出する接触検出手段と、前記開状態検出手段、前記閉状態検出手段、前記接触検出手段の各検出結果に基づいて当該装置本体がスタンド形態にあるか否かを判別する判別手段と、この判別手段によってスタンド形態にあることが判別された場合に、所定処理を実行する処理制御手段とを具備したことを特徴とする。
更に、コンピュータに対して、上述した請求項１記載の発明に示した主要機能を実現させるためのプログラムを提供する（請求項１１記載の発明）。
【０００７】
なお、上述した請求項１記載の発明は次のようなものであってもよい。
前記判別手段は、前記閉状態検出手段によって閉じられた形態ではないことが検出されると共に、前記開状態検出手段によって開かれたオープン形態ではないことが検出され、かつ、前記接触検出手段によって筐体の所定部分が外部に接触されていることが検出された場合にスタンド形態にあると判別する（請求項２記載の発明）。
【０００８】
前記接触検出手段は、前記第１筐体及び第２筐体において前記ヒンジ部の反対側に位置する側面部にそれぞれ設けられ、前記判別手段は、前記閉状態検出手段によって第１筐体と第２筐体とが閉じられた形態ではないことが検出されると共に、前記開状態検出手段によって第１筐体と第２筐体とが開かれたオープン形態ではないことが検出され、かつ、前記第１筐体及び第２筐体の側面部に設けられた各接触検出手段によって外部に接触されたことが検出された場合にスタンド形態にあると判別し、前記処理制御手段は、前記所定処理を実行時に、前記外部に接触している側面部のほうが下となるように前記表示部の表示方向を変更する（請求項３記載の発明）。
【０００９】
前記接触検出手段は、前記第１筐体あるいは第２筐体において前記ヒンジ部と直交する側に位置する一側面部に設けられ、前記判別手段は、前記閉状態検出手段によって第１筐体と第２筐体とが閉じられた形態ではないことが検出されると共に、前記開状態検出手段によって第１筐体と第２筐体とが開かれたオープン形態ではないことが検出され、かつ、前記第１筐体あるいは第２筐体の側面部に設けられた接触検出手段によって外部に接触されたことが検出された場合にスタンド形態にあると判別し、前記処理制御手段は、前記所定処理を実行時に、前記外部に接触している側面部のほうが下となるように前記表示部の表示方向を変更する（請求項４記載の発明）。
【００１０】
前記接触検出手段は、前記第２筐体の外側面に設けられ、前記判別手段は、前記閉状態検出手段によって第１筐体と第２筐体とが閉じられた形態ではないことが検出されると共に、前記開状態検出手段によって第１筐体と第２筐体とが開かれたオープン形態ではないことが検出され、かつ、前記第２筐体の外側面に設けられた接触検出手段によって外部に接触されたことが検出された場合にスタンド形態にあると判別し、前記処理制御手段は、前記所定処理を実行時に、前記外部に接触している外側面のほうが下となるように前記表示部の表示方向を変更する（請求項５記載の発明）。
【００１１】
前記所定処理は、特定アプリケーションを起動する処理である（請求項８記載の発明）。
【００１２】
前記所定処理は、前記第１筺体に設けられた表示部の内容を変更する表示変更処理である（請求項９記載の発明）。
【００１３】
前記処理制御手段は、スタンド形態でなくなったことが判別された際に、元の状態に復帰する処理を実行する（請求項１０記載の発明）。
【００１４】
請求項６記載の発明（第２の発明）は、装置本体を構成する第１筐体及び第２筐体と、この第１筐体に対して第２筐体を折り畳み開閉自在に連結すると共に回動自在に連結するヒンジ部とを備えた携帯端末装置であって、前記ヒンジ部を介して第１筐体と第２筐体とが折り畳まれて閉じられた形態にあるか否かを検出する閉状態検出手段と、前記ヒンジ部を介して第１筐体と第２筐体とが開かれたオープン形態にあるか否かを検出する開状態検出手段と、前記第１筐体に対する第２筐体の回動を検出する回動検出手段と、前記閉状態検出手段、前記開状態検出手段、前記回動検出手段の各検出結果に基づいて当該装置本体がスタンド形態にあるか否かを判別する判別手段と、この判別手段によってスタンド形態にあることが判別された場合に、所定処理を実行する処理制御手段とを具備したことを特徴とする。
更に、コンピュータに対して、上述した請求項６記載の発明に示した主要機能を実現させるためのプログラムを提供する（請求項１２記載の発明）。
【００１５】
なお、上述した請求項６記載の発明は次のようなものであってもよい。
前記判別手段は、前記閉状態検出手段によって閉じられた形態ではないことが検出されると共に、前記開状態検出手段によって開かれたオープン形態ではないことが検出され、かつ、前記回動検出手段によって第２筐体の表示部が外側に向く状態に回動されたことが検出された場合にスタンド形態にあると判別する（請求項７記載の発明）。
その他、請求項６記載の発明は、上述の請求項８〜１０記載の発明であってもよい。
【発明の効果】
【００１６】
第１の発明によれば、第１及び第２の筐体が折り畳み開閉自在に連結されている場合に、両筐体を途中まで開いた形態を特定して所定処理を実行することができ、両筐体を途中まで開いた形態に合った状態での使用が可能となる。
【００１７】
第２の発明によれば、第１及び第２の筐体が折り畳み開閉自在及び回動自在に連結されている場合に、両筐体を途中まで開き、第１筐体の表示部が外側となるスタンド形態を特定して所定処理を実行することができ、両筐体を途中まで開いたスタンド形態に合った状態での使用が可能となる。
【図面の簡単な説明】
【００１８】
【図１】携帯端末装置として適用した携帯電話装置の基本的な構成要素を示したブロック図。
【図２】（Ａ）は、操作部筐体に対して表示部筐体を折り畳んで完全に閉じた状態の完全クローズのスタイルを示した図、（Ｂ）は、操作部筐体に対して表示部筐体を完全に開いたフルオープンのスタイルを示した図、（Ｃ）は、フルオープンのスタイルをその外側（背面側）から見た図。
【図３】ヒンジ部が下に位置しているか、上に位置しているかに応じてヒンジ部の方向を下にした表示方向（β方向）あるいはヒンジ部の方向を上にした表示方向（α方向）を示した図。
【図４】（Ａ）は、オープンセンサを優先する場合の表示制御を示した図、（Ｂ）は、クローズセンサを優先する場合の表示制御を示した図。
【図５】開閉センサ（クローズセンサあるいはオープンセンサ）からの検出信号に変化があったときに実行開始される表示制御処理を示したフローチャート。
【図６】第１実施例の変形応用例を説明するための図で、携帯電話装置を横置きスタンドで使用する場合の状態図。
【図７】第２実施例において、縦置きスタンドの状態を検出するために両筐体に側面センサ（接触センサ）を配置した状態を示した図。
【図８】第２実施例において、両筐体の側面センサからの検出信号が略同時に変化したときに実行開始される処理を示したフローチャート。
【図９】第２実施例の変形応用例を説明するための図で、携帯電話装置を寝かしスタンドで使用する場合の状態図。
【図１０】第３実施例において、２軸型の携帯電話装置の外観図で、（Ａ）はクローズスタイル、（Ｂ）はオープンスタイル、（Ｃ）は反オープンスタイル、（Ｄ）はビュースタイル、（Ｅ）は縦置きスタンドスタイルを示した図。
【図１１】２軸型の携帯電話装置に使用されるセンサを示した図。
【図１２】各スタイルに応じてクローズセンサ、オープンセンサ、回動センサの作動状態を説明するための図。
【図１３】開閉センサ（クローズセンサあるいはオープンセンサ）からの検出信号に変化があったときに実行開始される表示制御処理を示したフローチャート。
【発明を実施するための形態】
【００１９】
（実施例１）
以下、図１〜図５を参照して本発明の第１実施例を説明する。
図１は、携帯端末装置として適用した携帯電話装置の基本的な構成要素を示したブロック図である。
この携帯電話装置はその装置本体を構成する２つの筐体が折り畳み開閉自在に連結されている折り畳み型の携帯電話装置であり、通話機能、電子メール機能、インターネット接続機能（Ｗｅｂアクセス機能）、カメラ機能、テレビ機能、ビデオ再生機能、スケジュール管理機能など、各種の機能が備えられている。ＣＰＵ１は、記憶部２内の各種のプログラムに応じてこの携帯電話装置の全体動作を制御する中央演算処理装置である。記憶部２は、内部メモリであり、プログラム領域とデータ領域とを有し、このプログラム領域には、後述する図５に示す動作手順に応じて本実施例を実現するためのプログラムが格納されている。メモリ３は、ワーク領域を有する内部メモリであり、必要に応じてメモリ３内の各種のデータは、記憶部２にセーブされる。
【００２０】
無線通信部４は、無線部、ベースバンド部、多重分離部などを備え、例えば、通話機能、電子メール機能などの動作時に、最寄りの基地局との間でデータの送受信を行うもので、通話機能の動作時にはベースバンド部の受信側から信号を取り込んで受信ベースバンド信号に復調したのち、音声信号処理部５を介して受話スピーカＳＰから音声出力させ、また、送話マイクＭＣからの入力音声データを音声信号処理部５から取り込み、送信ベースバンド信号に符号化したのち、ベースバンド部の送信側に与えてアンテナから発信出力させる。
【００２１】
表示制御部６は、高精細液晶あるいは有機ＥＬなどを使用したメイン表示部７、サブ表示部８に対する表示制御を行うもので、ＣＰＵ１の制御下でメイン表示部７の表示方向を変更したり、サブ表示部８の表示方向を変更したりする。操作部９は、ダイヤル入力、文字入力、コマンド入力などを行うもので、ＣＰＵ１は、操作部９からの入力信号に応じた処理を実行する。カメラ撮像部１０は、静止画撮影のほかに動画撮影も可能なもので、撮影レンズ、ミラー等のレンズ・ミラーブロック、撮像素子、その駆動系のほか、測距センサ、光量センサ、アナログ処理回路、信号処理回路、圧縮伸張回路などを備えている。テレビ放送受信部１１は、携帯電話などの携帯端末装置向けの地上波デジタルテレビ放送を受信するもので、テレビ映像データ及び文字データは、メイン表示部７、サブ表示部８から表示され、また、テレビ音声データは、サウンドスピーカ１２から出力される。ＲＴＣ（リアルタイムクロックモジュール）１３は、時計部を構成するもので、ＣＰＵ１は、ＲＴＣ１３から現在日時を取得する。
【００２２】
クローズセンサ１４は、装置本体を構成する２つの筐体を完全に閉じて折り畳んだ状態（完全クローズ）を検出する開閉センサを構成するもので、例えば、マイクロセンサによって構成され、完全クローズを検出している間、ＯＮ（オン）信号を出力し、完全クローズから外れた際に、ＯＦＦ（オフ）信号を出力するようにしている。このクローズセンサ１４からの検出信号に基づいてＣＰＵ１は、メイン表示部７、サブ表示部８に対する表示制御を実行し、その表示方向を上下に１８０度反転する表示制御を行うようにしている。
【００２３】
オープンセンサ１５は、２つの筐体を完全に開いた状態（フルオープン）を検出する開閉センサを構成するもので、例えば、マイクロセンサによって構成され、フルオープンを検出している間、ＯＮ（オン）信号を出力し、フルオープンから外れた際に、ＯＦＦ（オフ）信号を出力するようにしている。このオープンセンサ１５からの検出信号に基づいてＣＰＵ１は、メイン表示部７、サブ表示部８に対する表示制御を実行し、その表示方向を上下に１８０度反転する表示制御を行うようにしている。ＣＰＵ１は、クローズセンサ１４、オープンセンサ１５の何れか一方を優先して上述の表示制御を行うようにしている。すなわち、カメラ機能、テレビ機能、ビデオ再生機能などの特定アプリケーションの動作中にはオープンセンサ１５を優先した表示制御を行い、上述の特定アプリケーションの非動作中にはクローズセンサ１４を優先した表示制御を行うようにしている。
【００２４】
図２は、携帯電話装置の外観図である。
携帯電話装置は、その装置本体を構成する操作部筐体２１及び表示部筐体２２と、この操作部筐体２１に対して表示部筐体２２を折り畳み開閉自在に連結するヒンジ部２３とを備えた折り畳み開閉式の携帯電話装置である。この操作部筐体２１にはその内側に操作部９が設けられ、また、表示部筐体２２にはその内側にメイン表示部７が設けられているほか、その外側にサブ表示部８が設けられている。
【００２５】
図２（Ａ）は、操作部筐体２１に対して表示部筐体２２を折り畳んで完全に閉じた状態の完全クローズのスタイルを示した図で、サブ表示部８の内容は、この完全クローズのスタイルでも視認可能であり、図中、矢印方向はサブ表示部８の表示方向を示している。ここで、図３は、携帯電話装置の上下の向き、つまり、ヒンジ部２３が下に位置しているか、上に位置しているか応じてヒンジ部２３の方向を下にした表示方向あるいはヒンジ部２３の方向を上にした表示方向を示した図で、ヒンジ部２３の方向を下にした表示方向をα方向とし、ヒンジ部２３の方向を上にした表示方向をβ方向とすると、完全クローズスタイルでのサブ表示部８の表示方向はヒンジ部方向を上にしたβ方向となる。
【００２６】
図２（Ｂ）は、操作部筐体２１に対して表示部筐体２２を完全に開いたフルオープンのスタイルを示した図であり、図２（Ｃ）は、フルオープンのスタイルをその外側（背面側）から見た図である。このように両筐体２１、２２が完全に開いたオープンスタイルにおいて、メイン表示部７の表示方向は、図２（Ｂ）に示すようにヒンジ部方向を下にしたα方向となり、また、サブ表示部８の表示方向は、図２（Ｃ）に示すようにヒンジ部方向を下にしたα方向となって表示方向が変更される。
【００２７】
図４は、カメラ機能、テレビ機能、ビデオ再生機能などの特定アプリケーションが動作しているか否かに応じてオープンセンサ１５を優先する場合の表示制御とクローズセンサ１４を優先する場合の表示制御を説明するための図である。
なお、図中、丸内の“閉”は、クローズセンサ１４によって完全クローズが検出された“ＯＮ”の場合を示し、“開”は、オープンセンサ１５によってフルオープンが検出された“ＯＮ”の場合を示し、“閉”と“開”との間は、両筐体２１、２２を途中まで開いている状態であり、クローズセンサ１４及びオープンセンサ１５が共に“ＯＦＦ”の場合を示している。
【００２８】
図４（Ａ）は、オープンセンサ１５を優先する場合の表示制御を示したもので、特定アプリケーションの動作中に実行される。すなわち、カメラ機能、テレビ機能、ビデオ再生機能などの特定アプリケーションの動作中には、両筐体２１、２２を途中まで開いた半開き状態で両筐体２１、２２の端部を下にして机面に立てた縦置きスタンドで使用する場合などが想定されるため、完全クローズ（閉）が検出されている状態からフルオープン（開）が検出されるまでの開き途中では、上下を反転する表示制御を行わずにサブ表示部８の表示方向をβ方向に維持し、フルオープンになった時点でその表示方向を上下に反転してα方向に変更するようにしている。逆に、フルオープンの状態から閉じ始めると、その時点でサブ表示部８の表示方向を上下に反転してβ方向に変更するようにしている。なお、オープンセンサ優先の場合にはクローズセンサ１４の検出信号が変化してもサブ表示部８の表示方向を反転する表示制御を行わないようにしている。
【００２９】
図４（Ｂ）は、クローズセンサ１４を優先する場合の表示制御を示したもので、上述した特定アプリケーションの非動作中に実行される。すなわち、完全クローズの状態から開き始めると、その時点でサブ表示部８の表示方向を上下に反転してα方向に変更するようにしている。逆に、フルオープン（開）の状態から完全クローズとなるまでの閉じる途中ではα方向を維持し、完全クローズになった時点でその表示方向を上下に反転してβ方向に変更するようにしている。なお、クローズセンサ優先の場合にはオープンセンサ１５の検出信号が変化してもサブ表示部８の表示方向を反転する表示制御を行わないようにしている。
【００３０】
次に、この第１実施例における携帯電話装置の動作概念を図５に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。なお、図５は、携帯電話装置の全体動作のうち、本実施例の特徴部分の動作概要を示したフローチャートであり、この図５のフローから抜けた際には、全体動作のフロー（図示省略）に戻る。
【００３１】
図５は、開閉センサ（クローズセンサ１４あるいはオープンセンサ１５）からの検出信号に変化があったときに実行開始される表示制御処理を示したフローチャートである。
先ず、ＣＰＵ１は、カメラ機能、テレビ機能、ビデオ再生機能などの特定アプリケーションの動作中か否かを判別する（ステップＡ１）。ここで、開閉センサの検出信号（ＯＮからＯＦＦあるいはＯＦＦからＯＮ）に変化があった場合に、上述の特定アプリケーションの動作中であれば（ステップＡ１でＹＥＳ）、オープンセンサ１５を優先する表示制御を行うが（ステップＡ２〜Ａ５）、特定アプリケーションの非動作中であれば（ステップＡ１でＮＯ）、クローズセンサ１４を優先する表示制御を行う（ステップＡ６〜Ａ８）。
【００３２】
すなわち、特定アプリケーションの動作でそのデータが表示されている状態ではオープンセンサ１５を優先する表示制御を実行する。先ず、開閉センサの検出信号に変化があったのはオープンセンサ１５であるかを調べ（ステップＡ２）、特定アプリケーションの動作中にクローズセンサ１４の検出信号に変化があった場合には（ステップＡ２でＮＯ）、サブ表示部８の表示方向を反転する表示制御を行わず、このフローから抜ける。一方、オープンセンサ１５の検出信号に変化があった場合には（ステップＡ２でＹＥＳ）、その検出信号が“ＯＦＦ”から“ＯＮ”に変化したのか、つまり、開方向への変化で完全に開いたフルオープンのスタイルとなったのかを調べる（ステップＡ３）。
【００３３】
いま、オープンスタイルとなった場合には（ステップＡ３でＹＥＳ）、その時点でサブ表示部８の表示方向をβ方向からα方向に変更する（ステップＡ４）。これによってサブ表示部８は、ヒンジ部２３の方向を上にした表示からヒンジ部２３の方向を下にした表示に変更される。つまり、クローズスタイルからオープンスタイルになるまでは、ヒンジ部２３の方向を上にした表示を維持するが、オープンスタイルになった時点でヒンジ部２３の方向を下にした表示に変更される。なお、オープンスタイルにすると、待受画面がメイン表示部７に表示されるが、メイン表示部７もヒンジ部２３の方向を下にした表示となる。また、オープンセンサ１５の検出信号が“ＯＮ”から“ＯＦＦ”に変化した場合、つまり、閉方向への変化でオープンスタイルの状態から閉じ始めた場合には（ステップＡ３でＮＯ）、その時点でサブ表示部８の表示方向をα方向からβ方向に変更する（ステップＡ５）。
【００３４】
他方、クローズセンサ１４を優先する表示制御を実行する場合には、先ず、開閉センサの検出信号に変化があったのはクローズセンサ１４であるかを調べ（ステップＡ６）、特定アプリケーションの非動作中にオープンセンサ１５の検出信号に変化があった場合には（ステップＡ６でＮＯ）、サブ表示部８の表示方向を反転する表示制御を行わず、このフローから抜ける。一方、クローズセンサ１４の検出信号に変化があった場合には（ステップＡ６でＹＥＳ）、その検出信号が“ＯＦＦ”から“ＯＮ”に変化したのか、つまり、閉方向への変化で完全に閉じたクローズスタイルとなったかを調べる（ステップＡ７）。いま、クローズスタイルとなった場合には（ステップＡ７でＹＥＳ）、その時点でサブ表示部８の表示方向をα方向からβ方向に変更する（ステップＡ５）。また、開方向への変化でクローズスタイルの状態から開き始めた場合には（ステップＡ７でＮＯ）、その時点でサブ表示部８の表示方向をβ方向からα方向に変更する（ステップＡ８）。
【００３５】
以上のように、この第１実施例においてＣＰＵ１は、オープンセンサ１５の検出結果と特定アプリケーションが動作中か否かの判別結果を参照することで、特定アプリケーションが動作中であれば両筐体２１、２２を閉じた状態から完全に開いたオープンスタイルとなるまで現在の表示内容を維持することができ、逆に、オープンスタイルの状態から閉じ始めた時点ではその表示内容を直ちに反転することができるので、両筐体２１、２２を途中まで開いた状態での使用が可能となる。すなわち、カメラ機能、テレビ機能、ビデオ再生機能などの特定アプリケーションの動作中には、両筐体２１、２２を途中まで開いた半開き状態で両筐体２１、２２を机面に立てた縦置きスタンドで使用する場合などが想定されるが、このような縦置きスタンドでも正しい向きでの表示が可能となり、逆に、オープンスタイルから閉じ始めた際には、そのまま折り畳んだ状態で使用されるか、縦置きスタンドの状態で使用される可能性があるが、このような使用の仕方ではオープンスタイルでの表示方向とは上下が逆になるので、直ちに正しい向きの表示となる。
【００３６】
特定アプリケーションの非動作中であれば、両筐体２１、２２を途中まで開いた状態での使用を考慮せず、従来と同様に、クローズスタイルの状態から開き始めた時点で表示方向を直ちに上下に反転することができ、逆に、オープンスタイルからクローズスタイルとなるまでの閉じる途中ではオープンスタイルでの状態を維持し、クローズスタイルになった時点で上下を反転することができる。
【００３７】
なお、上述した第１実施例は、両筐体２１、２２を途中まで開いた半開き状態で両筐体２１、２２を机面に立てた縦置きスタンドで使用する場合に限らず、例えば、図６に示すように、両筐体２１、２２を途中まで開いた半開き状態で両筐体２１、２２の一側面部、つまり、ヒンジ部２３と直交する側に位置する一側面部を机面などに置いた横置きスタンドで使用する場合であってもよい。このように横置きスタンドで使用する場合には、両筐体２１、２２の同じ側の側面部に側面センサ（接触センサ）１６をそれぞれ設け、特定アプリケーションの動作中において、各側面センサ１６によって机面などに置かれたことが検出された場合に、机面などに接触している筐体の側面（接触面）とは反対の側面を上にした表示となるようにサブ表示部８の表示方向を図中、γ方向に変更すればよい。なお、図中、黒丸は、側面センサ１６を概念的に示したもので、両筐体２１、２２の同じ側の側面部に設けず、両筐体２１、２２のうち少なくともその一方の側面部に設けるだけであってもよい。
【００３８】
また、完全クローズからフルオープンにスタイルを変更した際に、サブ表示部８の内容をメイン表示部７に転送して切り替え表示するようにしてもよい。ここで、完全クローズからフルオープンにスタイルを変更した際に、サブ表示部８の内容を消去せずにメイン表示部７にも同じ内容を表示するようにしてもよい。また、フルオープンから完全クローズにスタイルを変更した際に、メイン表示部７の内容をサブ表示部８に転送して切り替え表示するようにしてもよい。
【００３９】
また、上述した第１実施例は、開閉センサを構成するクローズセンサ１４をマイクロセンサによって構成し、完全クローズを検出している間、ＯＮ（オン）信号を出力するようにしたが、特定アプリケーションの非動作中であれば、クローズセンサ１４を従来と同様の磁気センサを使用して検出するようにしてもよい。すなわち、一方の筐体の先端部側にホール素子を設け、他方の筐体の先端部側に磁石を設け、両筐体の開閉具合に応じた磁力の強弱によってクローズ検出を行うようにしてもよい。
【００４０】
（実施例２）
以下、この発明の第２実施例について図７及び図８を参照して説明する。
なお、上述した第１実施例においては、折り畳み型の携帯電話装置が縦置きスタンド、横置きスタンドなどで使用されることを想定して表示方向を反転するようにしたが、この第２実施例においては、折り畳み型の携帯電話装置がスタンド形態で使用される場合に所定処理を実行するようにしたものである。
ここで、両実施例において基本的あるいは名称的に同一のものは、同一符号を付して示し、その説明を省略すると共に、以下、第２実施例の特徴部分を中心に説明するものとする。
【００４１】
図７は、折り畳み型の携帯電話装置において、両筐体２１、２２を途中まで開いた半開き状態で両筐体２１、２２の端部を下にして机面に立てた縦置きスタンドで使用する場合を示した図である。両筐体２１、２２の端部（ヒンジ部２３の反対側に位置する側面部）には、側面センサ（接触センサ）１７がそれぞれ設けられている。なお、図中、黒丸は、側面センサ１７を概念的に示したもので、各側面センサ１７によって机面などに置かれたことが検出された際に、ＣＰＵ１は、クローズセンサ１４、オープンセンサ１５からの検出結果を参照して、縦置きスタンドの状態にあると判断し、縦置きスタンド専用のアプリケーション（例えば、カメラ機能、テレビ機能、ビデオ再生機能などの特定アプリケーション）を起動するようにしている。両筐体２１、２２の側面センサ１７は、両筐体２１、２２の端部が机面などに接触していることを検出している間、ＯＮ（オン）信号を出力し、それ以外ではＯＦＦ（オフ）信号を出力する。
【００４２】
図８は、両筐体２１、２２の側面センサ１７からの検出信号が略同時に変化したときに実行開始される処理を示したフローチャートである。先ず、ＣＰＵ１は、両筐体２１、２２の側面センサ１７からの検出信号に基づいて“ＯＦＦ”から“ＯＮ”への変化であるかを調べ（ステップＢ１）、“ＯＦＦ”から“ＯＮ”へのオン変化であれば（ステップＢ１でＹＥＳ）、クローズセンサ１４及びオープンセンサ１５からの検出信号は共に“ＯＦＦ”であるか、つまり、両筐体２１、２２を途中まで開いた半開き状態であるかを調べる（ステップＢ２）。
【００４３】
ここで、両筐体２１、２２の側面センサ１７が“ＯＮ”で、クローズセンサ１４及びオープンセンサ１５が“ＯＦＦ”の場合とは、縦置きスタンドの状態にある場合であるが（ステップＢ２でＹＥＳ）、クローズセンサ１４及びオープンセンサ１５が“ＯＦＦ”ではなく、スタンド以外の形態であれば（ステップＢ２でＮＯ）、このフローから抜ける。また、縦置きスタンドの状態にあれば（ステップＢ２でＹＥＳ）、縦置きスタンド専用のアプリケーションが動作中か否かを調べ（ステップＢ３）、動作中でなければ、縦置きスタンド専用のアプリケーションを起動させる（ステップＢ４）。そして、現在の表示方向は、ヒンジ部２３の方向を下にしたα方向かを調べ（ステップＢ５）、スタンド状態であっても現在の表示方向がα方向でなければ（ステップＢ５でＮＯ）、このフローから抜けるが、α方向であれば（ステップＢ５）、ヒンジ部２３の方向を上にしたβ方向に変更する（ステップＢ６）。
【００４４】
また、両筐体２１、２２の側面センサ１７からの検出信号が“ＯＮ”から“ＯＦＦ”への変化であれば（ステップＢ１でＮＯ）、両筐体２１、２２が机面などから離れて縦置きスタンドが解除された場合であるので、縦置きスタンド専用のアプリケーションが動作中であるかを調べ（ステップＢ７）、動作中でなければ、このフローから抜けるが、動作中であれば（ステップＢ７でＹＥＳ）、当該アプリケーションを終了させる（ステップＢ８）。そして、前回の表示方向はβ方向であったか、つまり、各側面センサ１７が“ＯＮ”されている状態での表示方向はβ方向であったかを調べ（ステップＢ９）、α方向であれば（ステップＢ９でＮＯ）、このフローから抜けるが、β方向であれば（ステップＢ９でＹＥＳ）、表示方向をα方向に変更する（ステップＢ１０）。
【００４５】
以上のように、この第２実施例においては、両筐体２１、２２を途中まで開いたスタンド形態を特定して所定処理を実行することができ、両筐体２１、２２を途中まで開いたスタンド形態に合った状態での使用が可能となる。例えば、両筐体２１、２２を途中まで開いたスタンド形態で机面などに置かれた際に、カメラ機能、テレビ機能、ビデオ再生機能などを起動することができ、スタンド形態に合った状態での使用が可能となる。
【００４６】
両筐体２１、２２の側面センサ１７とクローズセンサ１４からの検出結果を参照し、両筐体２１、２２においてヒンジ部２３の反対側に位置する側面部に設けられた側面センサ１７が“ＯＮ”で、クローズセンサ１４が“ＯＦＦ”であれば、縦置きスタンドであると判別することができる。この縦置きスタンドにおいては、机面などに接触している側面部のほうが下となるように表示方向を変更して縦置きスタンドに適した表示状態とすることができる。
【００４７】
スタンド形態にあると判別された場合に、所定処理として特定アプリケーション（スタンド専用のアプリケーション）を起動するようにしたので、スタイルをスタンド形態に変更するだけで、そのスタイルに適したプリケーションを利用することができる。
【００４８】
スタンド形態にあると判別された場合に、表示方向を変更する処理を実行するようにしたので、スタイルをスタンド形態に変更するだけで、そのスタイルに適した表示内容とすることができる。
【００４９】
両筐体２１、２２が机面などから離れて縦置きスタンドが解除された場合には、特定アプリケーションを終了させて表示方向も元の状態に復帰するようにしたので、スタイルをスタンド形態から他の形態に変更するだけで、元の状態に復帰させることができる。
【００５０】
なお、上述した第２実施例においては、縦置きスタンドで使用する場合を例示したが、図６で示したように、両筐体２１、２２を途中まで開いた半開き状態で両筐体２１、２２の一側面部（ヒンジ部２３と直交する側に位置する一側面部）を机面などに置いた横置きスタンドで使用する場合であってもよい。この場合、両筐体２１、２２の側面センサ１６が“ＯＮ”で、クローズセンサ１４が“ＯＦＦ”であれば、横置きスタンドであると判別することができる。この横置きスタンドにおいては、机面などに接触している側面部のほうが下となるように表示方向を変更して横置きスタンドに適した表示状態とすることができる。
【００５１】
また、上述した第２実施例においては、縦置きスタンド、横置きスタンドに限らず、図９に示すような寝かしスタンドで使用するようにしてもよい。この寝かしスタンドは両筐体２１、２２を途中まで開いた半開き状態で、操作部筐体２１の外側面（裏面）を下にして机面などに置いた状態であり、表示部筐体２２の外側面（裏面）に底面センサ（接触センサ）１８を設け、この底面センサ１８が“ＯＮ”で、クローズセンサ１４が“ＯＦＦ”であれば、寝かしスタンドであると判別することができる。なお、図中、黒丸は、底面センサ１８を概念的に示したものである。この寝かしスタンドでの表示方向は、机面などに接触している操作部筐体２１の外側面のほうが下となるように、つまり、表示部筐体２２の立ち上がり方向が上でヒンジ部２３の方向を下とする方向（α方向）となる。
その他、上述した第２実施例においては、表示方向を上下に反転するようにしたが、表示内容自体を変更するようにしてもよい。
【００５２】
（実施例３）
以下、この発明の第３実施例について図１０〜図１３を参照して説明する。
なお、上述した第２実施例においては、折り畳み型の携帯電話装置に適用した場合を示したが、この第３実施例においては、２つの筐体とを折り畳み開閉自在及び回動自在に連結した２軸型の携帯電話装置に適用したもので、この２軸型の携帯電話装置がスタンド形態で使用される場合に所定処理を実行するようにしたものである。
ここで、第１・第３実施例において基本的あるいは名称的に同一のものは、同一符号を付して示し、その説明を省略すると共に、以下、第３実施例の特徴部分を中心に説明するものとする。
【００５３】
図１０は、２軸型の携帯電話装置の外観図である。
携帯電話装置は、操作部筐体２１と表示部筐体２２とを折り畳み開閉自在及び回動自在にヒンジ部２３で連結したもので、ヒンジ部２３には操作部筐体２１と表示部筐体２２とを折り畳み開閉するための開閉用ヒンジ軸と、この開閉用ヒンジ軸とほぼ直交し、一方の筐体を他方の筐体に対して回動するための回動用ヒンジ軸とが設けられており、このヒンジ部２３を介して操作部筐体２１と表示部筐体２２とは折り畳み開閉自在及び回動自在に連結されている。
【００５４】
図１０（Ａ）は、操作部筐体２１に対して表示部筐体２２を折り畳んで完全に閉じた状態のクローズスタイルを示し、（Ｂ）は、このクローズスタイルから操作部筐体２１に対して表示部筐体２２を完全に開いたオープンスタイルを示している。このオープンスタイルでは、メイン表示部７の表示方向はα方向（ヒンジ部２３の方向を下にした方向）となっている。図１０（Ｃ）は、このオープンスタイルの状態において操作部筐体２１に対して表示部筐体２２を１８０度回転させた反オープンスタイルを示している。
【００５５】
図１０（Ｄ）は、反オープンスタイルの状態において操作部筐体２１に対して表示部筐体２２を折り畳んで完全に閉じたビュースタイルを示している。このビュースタイルでは、メイン表示部７の表示方向はβ方向（ヒンジ部２３の方向を上にした方向）となっている。図１０（Ｅ）は、反オープンスタイルあるいはビュースタイルの状態において、操作部筐体２１と表示部筐体２２とを途中まで開き、各筐体２１、２２を両脚として机面などに立てた縦置きスタンドスタイルを示した図である。このスタンドスタイルでは、メイン表示部７の表示方向はβ方向のままとなっている。
【００５６】
図１１は、２軸型の携帯電話装置に使用されるセンサを示し、上述した開閉センサ（クローズセンサ１４、オープンセンサ１５）のほか、回動センサ１９が設けられている。この回動センサ１９は、オープンスタイルから反オープンスタイルに変更したり、反オープンスタイルからオープンスタイルに変更したりするために、操作部筐体２１に対して表示部筐体２２が回動された際に、その回動角度が０度の場合には、メイン表示部７が内側に向いている状態であることを検出し、１８０度の場合にはメイン表示部７が外側に向いている状態であることを検出する。
【００５７】
図１２は、各スタイルに応じてクローズセンサ１４、オープンセンサ１５、回動センサ１９の作動状態を説明するための図である。なお、図中、“内”、“外”は、メイン表示部７の向きを示し、回動センサ１９によって検出された回動角度が０度の場合には、メイン表示部７が内側に向き、１８０度の場合には、メイン表示部７が外側に向いていることを示している。ＣＰＵ１は、クローズセンサ１４、オープンセンサ１５、回動センサ１９の検出結果に基づいて現在のスタイルを判別する。すなわち、クローズセンサ１４が“ＯＮ”で回動センサ１９が“内”の場合にはクローズスタイル、オープンセンサ１５が“ＯＮ”で回動センサ１９が“内”の場合にはオープンスタイルであると判別する。また、オープンセンサ１５が“ＯＮ”で回動センサ１９が“外”の場合には反オープンスタイル、クローズセンサ１４が“ＯＮ”で回動センサ１９が“外”の場合にはビュースタイル、クローズセンサ１４及びオープンセンサ１５が“ＯＦＦ” で回動センサ１９が“外”の場合にはスタンドスタイルであると判別する。
【００５８】
図１３は、開閉センサ（クローズセンサ１４あるいはオープンセンサ１５）からの検出信号に変化があったときに実行開始される表示制御処理を示したフローチャートである。
先ず、ＣＰＵ１は、開閉センサの検出信号（ＯＮからＯＦＦあるいはＯＦＦからＯＮ）に変化があった際に、回動センサ１９の検出結果を参照し、現在の回動状態は“外”であるかを調べる（ステップＣ１）。いま、メイン表示部７が外側に向いている状態、つまり、現在の回動状態が“内”であれば（ステップＣ１でＮＯ）、開閉センサの検出信号に変化があったのはクローズセンサ１４であるかを調べる（ステップＣ２）。
【００５９】
クローズセンサ１４の検出信号に変化があった場合には（ステップＣ２でＹＥＳ）、その検出信号が“ＯＦＦ”から“ＯＮ”に変化したのか、つまり、閉方向への変化で完全に閉じたクローズスタイルとなったかを調べる（ステップＣ３）。いま、クローズスタイルとなったときには（ステップＣ３でＹＥＳ）、その時点でメイン表示部７の内容を消去する表示オフ処理を行うが（ステップＣ４）、開方向への変化でクローズスタイルから表示部筐体２２を開き始めたときには（ステップＣ３でＮＯ）、その時点で表示オン処理を実行し、メイン表示部７に待受画面などをα方向（ヒンジ部２３の方向を下にした方向）に表示させる（ステップＣ５）。
【００６０】
一方、現在の回動状態が“外”であれば（ステップＣ１でＹＥＳ）、開閉センサの検出信号に変化があったのはオープンセンサ１５であるかを調べ（ステップＣ６）、オープンセンサ１５の検出信号に変化があったときには（ステップＣ６でＹＥＳ）、その検出信号が“ＯＦＦ”から“ＯＮ”に変化したのか、つまり、メイン表示部７を外側に向けた状態において開方向への変化によって反オープンスタイルとなったかを調べる（ステップＣ７）。いま、オープンセンサ１５の検出信号が“ＯＮ”から“ＯＦＦ”に変化した場合、つまり、反オープンスタイルからビュースタイルあるいはスタンドスタイルに移行するために閉じ始めた場合の閉方向への変化であれば（ステップＣ７でＮＯ）、その時点でメイン表示部７の表示方向をα方向からβ方向に変更してヒンジ部２３の方向を下にした方向とするほか（ステップＣ１０）、スタンド専用のアプリケーションを起動させる（ステップＣ１１）。
【００６１】
また、メイン表示部７を外側に向けた状態での開方向への変化で、オープンセンサ１５の検出信号が“ＯＦＦ”から“ＯＮ”に変化して反オープンスタイルとなった場合には（ステップＣ７でＹＥＳ）、その時点でメイン表示部７の表示方向をβ方向からα方向に変更してヒンジ部２３の方向を下にした方向とするほか（ステップＣ８）、上述のスタンド専用のアプリケーションを終了させる（ステップＣ９）。
【００６２】
また、メイン表示部７を外側に向けた状態で、クローズセンサ１４の検出信号に変化があった場合には（ステップＣ６でＮＯ）、その検出信号が“ＯＮ”から“ＯＦＦ”に変化したのか、つまり、ビュースタイルから開方向への変化であるかを調べ（ステップＣ１２）、ビュースタイルからスタンドスタイルあるいは反オープンスタイルに移行するために開き始めたときの開方向への変化であれば（ステップＣ１２でＹＥＳ）、スタンド専用のアプリケーションを起動させる（ステップＣ１１）。この場合、メイン表示部７の表示方向を変えず、β方向のままとなっている。また、クローズセンサ１４の検出信号の変化が“ＯＦＦ”から“ＯＮ”への変化、つまり、スタンドスタイルあるいは反オープンスタイルからビュースタイルに移った場合には（ステップＣ１２でＮＯ）、その時点でスタンド専用のアプリケーションを終了させる（ステップＣ１３）。
【００６３】
以上のように、この第３実施例は、操作部筐体２１と表示部筐体２２とを折り畳み開閉自在及び回動自在にヒンジ部２３で連結した２軸型の携帯電話装置において、操作部筐体２１と表示部筐体２２とを途中まで開き、表示部筐体２２のメイン表示部７が外側に向くように表示部筐体２２を回動したスタンド形態を特定して所定処理を実行することができ、スタンド形態で机面などに置かれた際にカメラ機能、テレビ機能、ビデオ再生機能などを起動することができ、スタンド形態に合った状態での使用が可能となる。
【００６４】
クローズセンサ１４、オープンセンサ１５、回動センサ１９の検出結果に基づいてスタンドスタイルであることを判別することができる。すなわち、クローズセンサ１４及びオープンセンサ１５が“ＯＦＦ”で、回動センサ１９が“外”の場合にはスタンドスタイルであるとことを容易に判別することができる。
【００６５】
その他、この第３実施例は、上述した第２実施例と同様に、スタンド形態に変更するだけで、そのスタイルに適したアプリケーション（スタンド専用のアプリケーション）を利用することができる。また、スタンド形態に変更するだけで、スタンド形態に適した表示内容とすることができる。また、スタイルをスタンド形態から他の形態に変更するだけで、元の状態に復帰させることができる。
【００６６】
なお、上述した各実施例においては、開閉センサを構成するクローズセンサ１４をマイクロセンサによって構成し、完全クローズを検出している間、ＯＮ（オン）信号を出力するようにしたが、光センサなどでクローズ検出を行うようにしてもよい。また、上述した各実施例においては、開閉センサを構成するオープンセンサ１５をマイクロセンサによって構成したが、加速度センサによって両筐体の開き具合を検出し、この検出結果に基づいてスタンド形態であるか否かを判別するようにしてもよい。この場合、加速度センサによって求めた両筐体の開き具合、メイン表示部７あるいはサブ表示部８の傾き状態に応じて画像を台形補正して表示するようにしてもよい。
【００６７】
上述した各実施例においては、表示方向を上下に反転するようにしたが、表示反転に限らず、表示内容自体も変更するようにしてもよい。
その他、携帯電話装置に限らず、例えば、ＰＤＡ、電子カメラ、電子腕時計、音楽再生機などの携帯端末装置であっても同様に適用可能である。
【００６８】
上記の実施例の一部又は全部は、以下の付記のようにも記載されうるが、以下には限られない。
【００６９】
（付記１）
装置本体を構成する第１筐体及び第２筐体と、この第１筐体に対して第２筐体を折り畳み開閉自在に連結するヒンジ部とを備えた携帯端末装置であって、
前記第１筐体に設けられた表示部と、
前記ヒンジ部を介して第１筐体と第２筐体とが開かれたオープン形態にあるか否かを検出する開状態検出手段と、
前記表示部に特定内容を表示する特定動作状態にあるか否かを判別する判別手段と、
この判別手段によって特定動作状態であることが判別された場合に、前記開状態検出手段の検出結果に基づいて前記表示部の内容を反転する表示制御を行う表示制御手段と、
を具備したことを特徴とする携帯端末装置。
【００７０】
（付記２）
前記ヒンジ部を介して第１筐体と第２筐体とが折り畳まれて閉じられた形態にあるか否かを検出する閉状態検出手段を更に設け、
前記判別手段によって特定動作状態にないことが判別された場合に、前記表示制御手段は、前記閉状態検出手段の検出結果に基づいて前記表示部の内容を反転する表示制御を行う、
ようにしたことを特徴とする付記１記載の携帯端末装置。
【００７１】
（付記３）
装置本体を構成する第１筐体及び第２筐体と、この第１筐体に対して第２筐体を折り畳み開閉自在に連結するヒンジ部とを備えた携帯端末装置であって、
前記第１筐体に設けられた表示部と、
前記ヒンジ部を介して第１筐体と第２筐体とが折り畳まれて閉じられた形態にあるか否かを検出する閉状態検出手段と、
装置本体を置くために前記第１筐体と第２筐体のうち、少なくとも一方の筐体の所定部分が外部に接触したか否かを検出する接触検出手段と、
前記閉状態検出手段及び前記接触検出手段の検出結果に基づいて当該装置本体がスタンド形態にあるか否かを判別する判別手段と、
この判別手段によってスタンド形態にあることが判別された場合に、所定処理を実行する処理制御手段と、
を具備したことを特徴とする携帯端末装置。
【００７２】
（付記４）
前記判別手段は、前記閉状態検出手段によって閉じられた形態ではないことが検出され、かつ、前記接触検出手段によって筐体の所定部分が外部に接触されていることが検出された場合にスタンド形態にあると判別する、
ようにしたことを特徴とする付記３記載の携帯端末装置。
【００７３】
（付記５）
前記接触検出手段は、前記第１筐体及び第２筐体において前記ヒンジ部の反対側に位置する側面部にそれぞれ設けられ、
前記判別手段は、前記閉状態検出手段によって第１筐体と第２筐体とが閉じられた形態ではないことが検出され、かつ、前記第１筐体及び第２筐体の側面部に設けられた各接触検出手段によって外部に接触されたことが検出された場合にスタンド形態にあると判別し、
前記処理制御手段は、前記所定処理を実行時に、前記外部に接触している側面部のほうが下となるように前記表示部の内容を変更する、
ようにしたことを特徴とする付記３記載の携帯端末装置。
【００７４】
（付記６）
前記接触検出手段は、前記第１筐体あるいは第２筐体において前記ヒンジ部と直交する側に位置する一側面部に設けられ、
前記判別手段は、前記閉状態検出手段によって第１筐体と第２筐体とが閉じられた形態ではないことが検出され、かつ、前記第１筐体あるいは第２筐体の側面部に設けられた接触検出手段によって外部に接触されたことが検出された場合にスタンド形態にあると判別し、
前記処理制御手段は、前記所定処理を実行時に、前記外部に接触している側面部のほうが下となるように前記表示部の内容を変更する、
ようにしたことを特徴とする付記３記載の携帯端末装置。
【００７５】
（付記７）
前記接触検出手段は、前記第２筐体の外側面に設けられ、
前記判別手段は、前記閉状態検出手段によって第１筐体と第２筐体とが閉じられた形態ではないことが検出され、かつ、前記第２筐体の外側面に設けられた接触検出手段によって外部に接触されたことが検出された場合にスタンド形態にあると判別し、
前記処理制御手段は、前記所定処理を実行時に、前記外部に接触している外側面のほうが下となるように前記表示部の内容を変更する、
ようにしたことを特徴とする付記３記載の携帯端末装置。
【００７６】
（付記８）
装置本体を構成する第１筐体及び第２筐体と、この第１筐体に対して第２筐体を折り畳み開閉自在に連結すると共に回動自在に連結するヒンジ部とを備えた携帯端末装置であって、
前記ヒンジ部を介して第１筐体と第２筐体とが折り畳まれて閉じられた形態にあるか否かを検出する閉状態検出手段と、
前記ヒンジ部を介して第１筐体と第２筐体とが開かれたオープン形態にあるか否かを検出する開状態検出手段と、
前記第１筐体に対する第２筐体の回動を検出する回動検出手段と、
前記閉状態検出手段、前記開状態検出手段、前記回動検出手段の各検出結果に基づいて当該装置本体がスタンド形態にあるか否かを判別する判別手段と、
この判別手段によってスタンド形態にあることが判別された場合に、所定処理を実行する処理制御手段と、
を具備したことを特徴とする携帯端末装置。
【００７７】
（付記９）
前記判別手段は、前記閉状態検出手段によって閉じられた形態ではないことが検出されると共に、前記開状態検出手段によって開かれたオープン形態ではないことが検出され、かつ、前記回動検出手段によって第２筐体の表示部が外側に向く状態に回動されたことが検出された場合にスタンド形態にあると判別する、
ようにしたことを特徴とする付記８記載の携帯端末装置。
【００７８】
（付記１０）
前記所定処理は、特定アプリケーションを起動する処理である、
ことを特徴とする付記３乃至８の何れか１つに記載の携帯端末装置。
【００７９】
（付記１１）
前記所定処理は、前記第１筐体に設けられた表示部の内容を変更する表示変更処理である、
ことを特徴とする付記３乃至８の何れか１つに記載の携帯端末装置。
【００８０】
（付記１２）
前記処理制御手段は、スタンド形態でなくなったことが判別された際に、元の状態に復帰する処理を実行する、
ようにしたことを特徴とする付記３乃至１０の何れか１つに記載の携帯端末装置。
【００８１】
（付記１３）
コンピュータに対して、
装置本体を構成する第１筐体に対して第２筐体を折り畳み開閉自在に連結するヒンジ部を介して第１筐体と第２筐体とが開かれたオープン形態にあるか否かを検出する機能と、
前記第１筐体に設けられた表示部に特定内容を表示する特定動作状態にあるか否かを判別する機能と、
前記特定動作状態であることが判別された場合に、前記オープン形態にあるか否かの検出結果に基づいて前記表示部の内容を反転する表示制御を行う機能と、
を実現させるためのプログラム。
【００８２】
（付記１４）
コンピュータに対して、
装置本体を構成する第１筐体に対して第２筐体を折り畳み開閉自在に連結するヒンジ部を介して第１筐体と第２筐体とが折り畳まれて閉じられた形態にあるか否かを検出する機能と、
装置本体を置くために前記第１筐体と第２筐体のうち、少なくとも一方の筐体の所定部分が外部に接触したか否かを検出する機能と、
前記閉じられた形態にあるか否かの検出結果及び前記筐体の所定部分が外部に接触されているか否かの検出結果に基づいて当該装置本体がスタンド形態にあるか否かを判別する機能と、
前記スタンド形態にあることが判別された場合に、所定処理を実行する機能と、
を実現させるためのプログラム。
【００８３】
（付記１５）
コンピュータに対して、
装置本体を構成する第１筐体に対して第２筐体を折り畳み開閉自在に連結するヒンジ部を介して第１筐体と第２筐体とが折り畳まれて閉じられた形態にあるか否かを検出する機能と、
前記ヒンジ部を介して第１筐体と第２筐体とが開かれたオープン形態にあるか否かを検出する機能と、
前記第１筐体に対する第２筐体の回動を検出する機能と、
前記閉じられた形態にあるか否かの検出結果、前記筐体の所定部分が外部に接触されているか否かの検出結果、前記第２筐体の回動の検出結果に基づいて当該装置本体がスタンド形態にあるか否かを判別する機能と、
前記スタンド形態にあることが判別された場合に、所定処理を実行する機能と、
を実現させるためのプログラム。
【００８４】
付記１，２，１３に係る発明によれば、第１及び第２の筐体が折り畳み開閉自在に連結されている場合に、特定動作によるデータが表示されている状態で、その表示内容を両筐体が完全に開いた形態となるまで維持することができるほか、この開いた形態から閉じ始めた時点でその表示内容を直ちに反転することができ、両筐体を途中まで開いた状態での使用が可能となる。
【符号の説明】
【００８５】
１  ＣＰＵ
２  記憶部
４  無線通信部
６  表示制御部
７  メイン表示部
８  サブ表示部
９  操作部
１０  カメラ撮像部
１１  テレビ放送受信部
１４  クローズセンサ
１５  オープンセンサ
１６、１７  側面センサ
１８  底面センサ
１９  回動センサ
２１  操作部筐体
２２  表示部筐体
２３  ヒンジ部
【図１】
0005261841.tif 000002
【図２】
0005261841.tif 000003
【図３】
0005261841.tif 000004
【図４】
0005261841.tif 000005
【図５】
0005261841.tif 000006
【図６】
0005261841.tif 000007
【図７】
0005261841.tif 000008
【図８】
0005261841.tif 000009
【図９】
0005261841.tif 000010
【図１０】
0005261841.tif 000011
【図１１】
0005261841.tif 000012
【図１２】
0005261841.tif 000013
【図１３】
0005261841.tif 000014